(57)【要約】      （修正有）【課題】自然エネルギーや廃棄エネルギーや余剰エネルギーを、時間的にあるいは空間的に目的とするタイミングで利用することが可能であり、しかも電気が使用できない場所での必要な熱容量での暖房および冷房などを行うことができるシート状蓄熱パックを提供する。【解決手段】潜熱蓄熱物質を主成分とし、必要に応じて融点調整剤および／または過冷却防止剤を配合した潜熱蓄熱材組成物１を第１シート状繊維集合体２に含浸保持させた蓄熱シート３と、蓄熱シート３を密封包装した樹脂製フィルムあるいはシートからなる第１包装袋４と、前記第１包装袋４の一方の表面の少なくとも１部を覆うように載置したシート状繊維集合体５とともに第１包装袋４を密封包装し、シート状繊維集合体５を両包装袋の間に介在させた樹脂製フィルムあるいはシートからなる第２包装袋６とを含む。【選択図】図１
0003172320.tif 000002
【実用新案登録請求の範囲】
【請求項１】
潜熱蓄熱物質を主成分とし、必要に応じて融点調整剤および／または過冷却防止剤を配合した潜熱蓄熱材組成物を第１シート状繊維集合体に含浸保持させた蓄熱シートと、
前記蓄熱シートを密封包装した樹脂製フィルムあるいはシートからなる第１包装袋と、
前記第１包装袋の一方の表面の少なくとも１部を覆うように載置したシート状繊維集合体とともに前記第１包装袋を第２包装袋で密封包装し、前記シート状繊維集合体を両包装袋の間に介在させた樹脂製フィルムあるいはシートからなる前記第２包装袋と
から少なくとも構成されることを特徴とするシート状蓄熱パック。
【請求項２】
前記潜熱蓄熱材組成物として、潜熱蓄熱物質を主成分とし、長繊維状パリゴルスカイトを必須成分として配合し、必要に応じて融点調整剤および／または過冷却防止剤を配合した相分離しない潜熱蓄熱材組成物を用いたことを特徴とする請求項１記載のシート状蓄熱パック。
【請求項３】
シート状蓄熱パックを他の面に固定するために用いる吸盤および／またはリベットを取り付けるための貫通穴を１個以上設けたことを特徴とする請求項１あるいは請求項２記載のシート状蓄熱パック。
【請求項４】
温度変化によって色が変化する示温剤を塗布した温度インジケータを第１包装袋と第２包装袋との間に介在させ、前記温度インジケータの色の変化を外部から見えるようにしたことを特徴とする請求項１から請求項３のいずれか１項に記載のシート状蓄熱パック。
【請求項５】
請求項１から請求項４のいずれか１項に記載のシート状蓄熱パックが２個以上その周縁部が相互に連結されて一体に形成されて構成されていることを特徴とするシート状蓄熱パック。
【考案の詳細な説明】
【技術分野】
【０００１】
本考案は、シート状蓄熱パックに関するものであり、さらに詳しくは、自然エネルギーや廃棄エネルギーや余剰エネルギーを、時間的にあるいは空間的に目的とするタイミングで利用することが可能であり、しかも電気が使用できない場所での必要な熱容量での暖房および冷房などを行うことができる上、形状もシート状のみでなく、加熱対象あるいは冷却対象に合わせた形状にすることができ、使用時に手間がかからず使い勝手のよいシート状蓄熱パックに関するものである。
【背景技術】
【０００２】
近年、震災などの有事に対する備えや節電に対する意識の高まりから、電力を極力利用しないライフスタイルが見直されており、電力がなくても利用できる、自然に発生するエネルギーや廃棄されるエネルギーや余剰エネルギーの有効利用が求められてきている。
【０００３】
震災を経験して、我々の生活に電気は必須条件であることが再確認できたが、一方、電気が使用できない場所での暖房および冷房を得ることは難しいことである。
また、自然エネルギーを利用したり、廃棄エネルギーや余剰エネルギーをリユースする場合、時間的にあるいは空間的に目的とするタイミングで利用することが難しいので、自然に発生するエネルギーや廃棄されるエネルギーや余剰エネルギーの有効利用はあまり行なわれていないのが現状である。
【０００４】
そこで、潜熱蓄熱材の利用が考えられる。
酢酸ナトリウム３水塩などの潜熱蓄熱物質を主成分とする潜熱蓄熱材組成物は、融解潜熱が大きいことおよび融点が約６０℃前後であることなどから、深夜電力利用や廃熱利用による暖房用などに有用であることが知られている。酢酸ナトリウム３水塩などの潜熱蓄熱物質を主成分とする潜熱蓄熱材組成物に吸熱させて融解し、時間的にあるいは空間的に目的とするタイミングで融解した潜熱蓄熱材組成物に刺激を与えるなどすることにより融解潜熱を発生させることができるので、電気が使用できない場所での必要な熱容量での暖房および冷房などを行うことができる。
【０００５】
しかしながら、従来の潜熱蓄熱材組成物は、融解〜凝固サイクルを何回も繰り返すと比重の大きい成分が沈殿して２相に分離するという相分離が発生する問題がある。融解〜凝固、すなわち蓄熱〜放熱の繰り返しにより相分離が発生すると、蓄熱量が減少したり、極端な場合は蓄熱しなくなるばかりか、過冷却現象が大きくなり、所定の温度で凝固しなくなる問題が発生する。
【０００６】
この問題を解決するために、相分離防止剤として木材パルプ、メチルセルロース、アルギン酸塩などと多価アルコールなどを用いる提案（例えば、特許文献１〜３などを参照）や、有機物質でなくカオリン、ケイソウ土、ベントナイトなどの無機粘土質物質を用いる提案や、セピオライトやアタパルジャイトなどの無機繊維を用いる提案（例えば、特許文献４〜７などを参照）がある。
【０００７】
しかし相分離防止剤として木材パルプ、メチルセルロース、アルギン酸塩などと多価アルコールなどの有機物質を用いると融解〜凝固の繰り返しにより熱的影響を受ける結果、物性が変化してしまう問題があった。
またベントナイトはその性質上イオン交換能が大きいため共融状態下で高温におかれると凝集して安定した粘性をなくし機能をなくす問題があり、ケイソウ土やカオリンは可塑性に優れるがチクソトロピー性に欠けるので、添加量を増大する必要がある問題があった。
またセピオライトやアタパルジャイトなどの無機繊維を用いても、蓄熱〜放熱サイクルを繰り返すと２相分離が発生したり、冷却した際に結晶化せず過冷却現象が発生する問題があった。
融解〜凝固サイクルを長時間繰り返しても相分離したり、過冷却現象が発生せず安定して蓄熱〜放熱を繰り返すことができる潜熱蓄熱材組成物が提案されている（特許文献８参照）。
【０００８】
一方、潜熱蓄熱材を利用する場合、温度計などの計器を用いない限り、潜熱蓄熱材が使用に値する目的温度に達したかを確認できないという問題がある。
この問題を解決すために「温度計つき保温具」が提案されている（特許文献９参照）。しかしこの保温具はゲル材を使用しているので、熱容量が小さいという問題があるとともに、形状がシート状のみであるので、使用用途に制限があり、また保温具を収納するカバー材があり熱の取入時と使用時に手間がかかるという問題がある。
また、吸放熱形敷物が提案されている（特許文献１０参照）。しかしこの吸放熱形敷物には電熱体が設けられているので、電源がある屋内などでしか使用できないという制限がある。
【先行技術文献】
【特許文献】
【０００９】
【特許文献１】特開昭５９−５３５７８号公報
【特許文献２】特開昭６０−４５８３号公報
【特許文献３】特開２００１−３０３９
【特許文献４】特許第２８９０１９７号公報
【特許文献５】特開平０８−２０９８１５号公報
【特許文献６】特開平０９−２４１６２４号公報
【特許文献７】特開２００６−１３１８５６
【特許文献８】特開２００８−１８４５８９号公報
【特許文献９】特開２０１０−１２５１１４号公報
【特許文献１０】特開２００９−０１１６８８号公報
【考案の概要】
【考案が解決しようとする課題】
【００１０】
本考案の目的は、自然エネルギーや廃棄エネルギーや余剰エネルギーを、時間的にあるいは空間的に目的とするタイミングで利用することが可能であり、しかも電気が使用できない場所での必要な熱容量での暖房および冷房などを行うことができる上、形状もシート状のみでなく、加熱対象あるいは冷却対象に合わせた形状にすることができ、使用時に手間がかからず使い勝手のよいシート状蓄熱パックを提供することおよび前記特性を有するとともに、融解〜凝固サイクルを長時間繰り返しても相分離したり、過冷却現象が発生せず安定して蓄熱〜放熱を繰り返すことができる耐久性および信頼性の高い潜熱蓄熱材組成物を使用したシート状蓄熱パックを提供することである。
【課題を解決するための手段】
【００１１】
上記課題を解消するための本考案の請求項１記載の考案は、潜熱蓄熱物質を主成分とし、必要に応じて融点調整剤および／または過冷却防止剤を配合した潜熱蓄熱材組成物１を第１シート状繊維集合体２に含浸保持させた蓄熱シート３と、
前記蓄熱シート３を密封包装した樹脂製フィルムあるいはシートからなる第１包装袋４と、
前記第１包装袋４の一方の表面の少なくとも１部を覆うように載置したシート状繊維集合体５とともに前記第１包装袋４を第２包装袋６で密封包装し、前記シート状繊維集合体５を両包装袋の間に介在させた樹脂製フィルムあるいはシートからなる前記第２包装袋６と
から少なくとも構成されることを特徴とするシート状蓄熱パック１０である。
【００１２】
本考案の請求項２記載の考案は、請求項１記載のシート状蓄熱パック１０において、前記潜熱蓄熱材組成物１として、潜熱蓄熱物質を主成分とし、長繊維状パリゴルスカイトを必須成分として配合し、必要に応じて融点調整剤および／または過冷却防止剤を配合した相分離しない潜熱蓄熱材組成物１を用いたことを特徴とする。
【００１３】
本考案の請求項３記載の考案は、請求項１あるいは請求項２記載のシート状蓄熱パック１０において、シート状蓄熱パック１０を他の面に固定するために用いる吸盤２１および／またはリベットを取り付けるための貫通穴２０を１個以上設けたことを特徴とする。
【００１４】
本考案の請求項４記載の考案は、請求項１からは請求項３のいずれか１項に記載のシート状蓄熱パック１０において、温度変化によって色が変化する示温剤を塗布した温度インジケータ７を第１包装袋４と第２包装袋６との間に介在させ、前記温度インジケータ７の色の変化を外部から見えるようにしたことを特徴とする。
【００１５】
本考案の請求項５記載の考案は、請求項１から請求項４のいずれか１項に記載のシート状蓄熱パックが２個以上その周縁部が相互に連結されて一体に形成されて構成されていることを特徴とするシート状蓄熱パックである。
【考案の効果】
【００１６】
本考案の請求項１記載の考案は、潜熱蓄熱物質を主成分とし、必要に応じて融点調整剤および／または過冷却防止剤を配合した潜熱蓄熱材組成物１を第１シート状繊維集合体２に含浸保持させた蓄熱シート３と、
前記蓄熱シート３を密封包装した樹脂製フィルムあるいはシートからなる第１包装袋４と、
前記第１包装袋４の一方の表面の少なくとも１部を覆うように載置したシート状繊維集合体５とともに前記第１包装袋４を第２包装袋６で密封包装し、前記シート状繊維集合体５を両包装袋の間に介在させた樹脂製フィルムあるいはシートからなる前記第２包装袋６と
から少なくとも構成されることを特徴とするシート状蓄熱パック１０であり、
自然エネルギーや廃棄エネルギーを、時間的にあるいは空間的に目的とするタイミングで利用することが可能であり、しかも電気が使用できない場所での必要な熱容量での暖房および冷房などを行うことができる上、形状もシート状のみでなく、加熱対象あるいは冷却対象に合わせた形状にすることができ、使用時に手間がかからず使い勝手が良いという顕著な効果を奏する。
【００１７】
フレキシブルな形態に構成することもでき、形状もシート状のみでなく、加熱対象あるいは冷却対象に合わせた形状にすることができ、コンパクトに巻いたり折り畳んだりして、持ち運びを容易にすることができ、使用時に手間がかからず使い勝手がよいという顕著な効果を奏する。
【００１８】
潜熱蓄熱材組成物１を第１シート状繊維集合体２に含浸保持させて形成されているので潜熱蓄熱材組成物１が偏って分布するのを抑制できるとともに、液漏れを抑制することができ、また第１包装袋４と第２包装袋６とで二重に包装しているので一層液漏れを防ぐことができるという顕著な効果を奏する。
【００１９】
フレキシブルな形態に構成することもでき、形状もシート状のみでなく、加熱対象あるいは冷却対象に合わせた形状にすることができ、コンパクトに巻いたり折り畳んだりして、持ち運びを容易にすることができ、使用時に手間がかからず使い勝手がよいという顕著な効果を奏する。
【００２０】
本考案の請求項２記載の考案は、請求項１記載のシート状蓄熱パックにおいて、前記潜熱蓄熱材組成物１として、潜熱蓄熱物質を主成分とし、長繊維状パリゴルスカイトを必須成分として配合し、必要に応じて融点調整剤および／または過冷却防止剤を配合した相分離しない潜熱蓄熱材組成物１を用いたことを特徴とするものであり、
本考案の請求項１記載のシート状蓄熱パックと同様な効果を奏するとともに、融解〜凝固サイクルを長時間繰り返しても相分離したり過冷却現象が発生せず安定して蓄熱〜放熱を繰り返すことができる耐久性および信頼性の高い潜熱蓄熱材組成物を使用したので、相分離したり過冷却現象が発生せず安定して蓄熱〜放熱を繰り返すことができ、耐久性および信頼性が高いというさらなる顕著な効果を奏する。
【００２１】
本考案の請求項３記載の考案は、請求項１あるいは請求項２記載のシート状蓄熱パック１０において、シート状蓄熱パック１０を他の面に固定するために用いる吸盤２１および／またはリベットを取り付けるための貫通穴２０を１個以上設けたことを特徴とするものであり、
好ましくはシート状蓄熱パックの四隅に貫通穴を設けて、その貫通穴に着脱可能な吸盤２１および／またはリベットを取り付け他の面に固定することができるので、例えば、ガラス面から入射してくる太陽熱を潜熱蓄熱材組成物１に熱吸収して運転席などの暖房シートなどとして使用することができるというさらなる顕著な効果を奏する。
【００２２】
本考案の請求項４記載の考案は、請求項１から請求項３のいずれか１項に記載のシート状蓄熱パックにおいて、温度変化によって色が変化する示温剤を塗布した温度インジケータ７を第１包装袋４と第２包装袋６との間に介在させ、前記温度インジケータ７の色の変化を外部から見えるようにしたことを特徴とするものであり、
温度計などの計器を用いないでも温度インジケータ７の色の変化を外部から見ることによって潜熱蓄熱材組成物１が使用に値する目的温度に達したかを確認できるというさらなる顕著な効果を奏する。
【００２３】
本考案の請求項５記載の考案は、請求項１から請求項４のいずれか１項に記載のシート状蓄熱パックが２個以上その周縁部が相互に連結されて一体に形成されて構成されていることを特徴とするものであり、
フレキシブルな形態に構成することもでき、形状もシート状のみでなく、加熱対象あるいは冷却対象に合わせた形状にすることができ、コンパクトに巻いたり折り畳んだりして、持ち運びを容易にすることができ、使用時に手間がかからず使い勝手がよいというさらなる顕著な効果を奏する。
【００２４】
シート状蓄熱パックが２個以上その周縁部が相互に、例えば熱融着あるいは接着されて連結されて一体に形成されて構成されると、短冊状もしくは格子状の複数の区画部が形成され、そして、その区画毎に潜熱蓄熱材組成物１が収容された状態となるので、潜熱蓄熱材組成物１が偏って分布するのを抑制できるとともに、液漏れを抑制することができるというさらなる顕著な効果を奏する。
【図面の簡単な説明】
【００２５】
【図１】図１は本考案のシート状蓄熱パックの一例の断面を説明する断面説明図である。
【図２】図２は本考案のシート状蓄熱パックの他の例を説明する説明図である。
【図３】図３は本考案のシート状蓄熱パックを用いて太陽熱を吸収する方法の一例を説明する説明図である。
【図４】図４は本考案のシート状蓄熱パックを用いて浴槽のお湯の熱を吸収する方法の一例を説明する説明図である。
【図５】図５は本考案のシート状蓄熱パックの他の例を説明する断面説明図である。
【図６】図６は本考案のシート状蓄熱パックの他の例を説明する説明図である。
【考案を実施するための形態】
【００２６】
次に本考案の実施の形態について詳細に説明する。
図１は、本考案のシート状蓄熱パックの一例の断面を説明する断面説明図である。
図１中の１は、使用目的温度で固液相変化する潜熱蓄熱物質を主成分とし、必要に応じて融点調整剤および／または過冷却防止剤を配合した潜熱蓄熱材組成物、あるいは使用目的温度で固液相変化する潜熱蓄熱物質を主成分とし、長繊維状パリゴルスカイトを必須成分として配合し、必要に応じて融点調整剤および／または過冷却防止剤を配合した相分離しない潜熱蓄熱材組成物であり、３は、この潜熱蓄熱材組成物１を不織布などの第１シート状繊維集合体２に含浸保持させた蓄熱シートである。
潜熱蓄熱材組成物１は、熱を吸収させ易くするために必要量の黒鉛粉末を混合して黒色化することができる。
【００２７】
前記蓄熱シート３は、機械的強度に優れ、液漏を防止するためにバリヤー性に富んだ素材であって、具体的には、例えば、ポリエチレン//ナイロン系ラミネートフィルムにアルミ蒸着フィルムやシリカ蒸着ポリエチレンテレフタレートフィルムなどを含んだ多重積層フィルムか、PVDC（ポリ塩化ビニリデン）系樹脂類やLDPE（軟質ポリエチレン）やポリエステル類、PVC（ポリ塩化ビニール）類及びポリアミド類の中から選ばれるポリマーを単層として使用するか、PVDCやLDPEにポリプロピレンやポリアミド類や各種ポリエチレン、ポリカーボネート、ポリスチレン、ポリイミド、ポリビニルアルコール、ポリアセタールなどと併せて複層構造にした樹脂製フィルムあるいはシートからなる第１包装袋４中に密封包装されている。
前記第１包装袋４の一方の外側の表面の少なくとも１部に断熱層となる不織布などの第２シート状繊維集合体５が２枚載置されており、前記第２シート状繊維集合体５を載置した前記第１包装袋４は、樹脂製フィルムあるいはシートからなる前記第１包装袋４と同じか、あるいは前第１包装袋４と異なる第２包装袋６中に密封包装されており、前記シート状繊維集合体５は前記第１包装袋４と前記第２包装袋６の間に介在させてある。
前記第１包装袋４および前記第２包装袋６はインパルスシーラや高周波ウエルダーなどシーラーを用いてヒートシールして製袋することができるのは勿論のこと、縫合手段で製袋したり、両者を組み合わせて製袋することもできる。
【００２８】
そして、図１中の７は、温度変化によって色が変化する示温剤を塗布した温度インジケータであり、温度インジケータ７を、前記２枚の第２シート状繊維集合体５の間であって、かつ第１包装袋４と第２包装袋６との間に介在させ、前記温度インジケータ７の色の変化を外部から見えるようになっている。
図１に示した本考案のシート状蓄熱パック１０は以上のように構成されている。
【００２９】
以上のように、本考案のシート状蓄熱パック１０は潜熱蓄熱物質を主成分とし、必要に応じて融点調整剤および／または過冷却防止剤を配合した潜熱蓄熱材組成物１、あるいは潜熱蓄熱物質を主成分とし、長繊維状パリゴルスカイトを必須成分として配合し、必要に応じて融点調整剤および／または過冷却防止剤を配合した相分離しない潜熱蓄熱材組成物１を第１シート状繊維集合体２に含浸保持させた蓄熱シート３と、
前記蓄熱シート３を密封包装した樹脂製フィルムあるいはシートからなる第１包装袋４と、
前記第１包装袋４の一方の表面の少なくとも１部を覆うように載置したシート状繊維集合体５とともに前記第１包装袋４を第２包装袋６で密封包装し、前記シート状繊維集合体５を両包装袋の間に介在させた樹脂製フィルムあるいはシートからなる前記第２包装袋６とから少なくとも構成されている。
【００３０】
本考案で用いる第１シート状繊維集合体２は、機械的強度に優れるとともに柔軟性に富んだ素材が好ましく使用でき、具体的には、例えば、織布・不織布（ナイロン繊維、アラミド繊維、ガラス繊維、セルロース繊維、ビニロン繊維、ポリエステル繊維、ポリエチレンやポリプロピレンなどのポリオレフィン繊維、レーヨン繊維）などや、古紙・損紙などのパルプ繊維、わら・綿・麻・竹・ケナフ・木材パルプなどの草木類からなる有機繊維、羊毛などの動物繊維などを挙げることができる。
また、潜熱蓄熱材組成物１に熱を吸収させ易くするために、第１シート状繊維集合体２として黒色で熱伝導性に優れた炭素繊維や金属繊維を使用することもできる。
本考案においてはこれらの中の１種あるは２種以上を使用することができる。
潜熱蓄熱材組成物１を溶融して第１シート状繊維集合体２中に含浸して保持させるので、溶融温度に耐える耐熱性を有するとともに、繊維が相互に絡み合って凝固した潜熱蓄熱材組成物１を安定して保持でき、再度、溶融させても溶融物を保持して流れ難くできるものが好ましい。
本考案で用いる第１シート状繊維集合体２としては、市販の不織布などを使用することができる。
【００３１】
本考案で用いる蓄熱シート３を密封包装するための樹脂製フィルムあるいはシートからなる第１包装袋４は、液漏を防止するためにバリヤー性に富んだ素材であって、具体的には、例えば、ポリエチレン//ナイロン系ラミネートフィルムにアルミ蒸着フィルムやシリカ蒸着ポリエチレンテレフタレートフィルムなどを含んだ多重積層フィルムか、PVDC（ポリ塩化ビニリデン）系樹脂類やLDPE（軟質ポリエチレン）やポリエステル類、PVC（ポリ塩化ビニール）類及びポリアミド類の中から選ばれるポリマーを単層として使用するか、PVDCやLDPEにポリプロピレンやポリアミド類や各種ポリエチレン、ポリカーボネート、ポリスチレン、ポリイミド、ポリビニルアルコール、ポリアセタールなどと併せて複層構造にした樹脂製フィルムあるいはシートから公知の方法、装置などを用いて製袋して製造される包装袋を挙げることができる。第１包装袋４を得るためには、例えば、一端が開口した包装袋中に蓄熱シート３を収容したのちに、開口部をヒートシールしたりして、密封包装する例を挙げることができる。
【００３２】
本考案で用いる第２シート状繊維集合体５とは、機械的強度および柔軟性および断熱性に富んだ素材が好ましく使用でき、具体的には、例えば、織布・不織布（ナイロン繊維、アラミド繊維、ガラス繊維、セルロース繊維、ビニロン繊維、ポリエステル繊維、ポリエチレンやポリプロピレンなどのポリオレフィン繊維、レーヨン繊維）などや、古紙・損紙などのパルプ繊維、わら・綿・麻・竹・ケナフ・木材パルプなどの草木類からなる有機繊維、羊毛などの動物繊維などの中から選ばれた１種あるは２種以上を挙げることができる。また、潜熱蓄熱材組成物１に熱を吸収させ易くするために、第２シート状繊維集合体５として黒色で熱伝導性に優れた炭素繊維や金属繊維を使用することもできる。
【００３３】
本考案で用いる樹脂製フィルムあるいはシートからなる第２包装袋６は、具体的には、例えば、機械的強度に優れ、液漏を防止するためにバリヤー性に富んだ柔軟性のある素材であって、具体的には、例えば、軟質ポリエチレン、軟質ポリプロピレン、PVC（ポリ塩化ビニール）、エポキシ樹脂、ポリウレタン樹脂などの樹脂製フィルムあるいはシート、ＥＰＲなどの熱可塑性エラストマー、ＳＢＲなどの合成ゴムや天然ゴム、シリコンゴムやウレタンゴムなどの熱硬化性樹脂系エラストマーなどの１種から製造された第１包装袋４と同じか、あるいは前第１包装袋４と異なる包装袋を挙げることができる。
本考案で用いる他の第２包装袋６の他の例としては、具体的には、例えば、機械的強度に優れ、高温に晒しても変形変色を起こさない耐炎性・耐熱性を有する繊維系素材であって、具体的には、例えば、アラミド繊維やザブロ加工ウールやノボロイド繊維や炭素繊維やフッ素繊維やガラス繊維、および特殊合成繊維のポリアミドイミド繊維やポリフェニレンサルファイド繊維やポリベンゾイミダゾール繊維などが挙げられる。
本考案で用いる樹脂製フィルムあるいはシートからなる第１包装袋４および第２包装袋６は熱を吸収させ易くするために黒色塗料を塗布したり、炭素や黒鉛などの黒色粉末を混合して、黒色化することもできる。
本考案で用いる温度変化によって色が変化する示温剤を塗布した温度インジケータ７としては、具体的には、例えば、パイロットコーポレーション株式会社製商品名：メタモカラーからなる示温剤を塗布した温度インジケータ７を挙げることができる。
本考案で用いる温度インジケータ７としては、温度変化によって色が変化するだけでなく、絵、図柄、文字などのデザインなどが浮かび上がるように設計して使用することもできる。
【００３４】
図２は本考案のシート状蓄熱パックの他の例を説明する断面説明図である。
図２に示した本考案のシート状蓄熱パック１０Ｂは、図１に示した本考案のシート状蓄熱パック１０が複数その周縁部が相互に融着されて短冊状に連結されて一体に形成されて構成されている。
図２中の２２は長手方向の融着部であり、２３は横方向の融着部である。
【００３５】
シート状蓄熱パック１０が複数その周縁部が相互に、例えば熱融着（２２、２３）されて連結されて一体に形成されて構成されると、短冊状の複数の区画部（それぞれの区画部は熱融着する前のシート状蓄熱パック１０に相当する）が形成され、そして、その区画毎に潜熱蓄熱材組成物１が収容された状態となるので、潜熱蓄熱材組成物１が偏って分布するのを抑制できるとともに、液漏れを抑制することができる。
【００３６】
本考案のシート状蓄熱パック１０Ｂは、フレキシブルな形態に構成することもでき、形状もシート状のみでなく、加熱対象あるいは冷却対象に合わせた形状にすることができ、コンパクトに巻いたり折り畳んだりして、持ち運びを容易にすることができ、使用時に手間がかからず使い勝手がよい。
図２中の２０は、シート状蓄熱パック１０Ｂを他の面に固定するために用いる吸盤２１を取り付けるための貫通穴である。
【００３７】
好ましくはシート状蓄熱パックの四隅に貫通穴を設けて、その貫通穴に着脱可能な吸盤および／またはリベット、あるいは紐、フック、ボタン、面ファスナーなどを取り付け他の面に固定することができるので、例えば、ガラス面から入射してくる太陽熱を潜熱蓄熱材組成物１に熱吸収させたり、冬場の車のフロントガラスから車内に入る太陽熱を潜熱蓄熱材組成物１に熱吸収して運転席などの暖房シートとして使用することができる。
【００３８】
図３は本考案のシート状蓄熱パック１０を用いて太陽熱を吸収する方法の一例を説明する説明図である。
図３中の３０は自動車の部材（インパネ）であり、３１はフロントガラスである。本考案のシート状蓄熱パック１０は、その端部に設けた貫通穴２０にセットした吸盤２１を用いてフロントガラス３１の車内側の表面に固定されている。
本考案のシート状蓄熱パック１０の図示しない第２シート状繊維集合体５はフロントガラス３１の反対側になるように固定されている。
図示しないが、端部に設けた貫通穴２０に吸盤２１をセットする場合、吸盤２１を貫通穴２０の逆方向から入れてセットして、本考案のシート状蓄熱パック１
０を図４に示した表面を裏面とするようにしてフロントガラス３１に固定することもできる。
また、貫通穴２０を利用して紐やフックを通したり、リベットを装着したりすることも可能である。また、磁石やボタンや面ファスナーを取り付けることも可能である。
太陽光はフロントガラス３１を通って本考案のシート状蓄熱パック１０を加熱し、図示しない潜熱蓄熱材組成物１に吸収されるようになっている。潜熱蓄熱材組成物１に吸熱したエネルギーは断熱性の第太陽光はフロントガラス３１を通って本考案のシート状蓄熱パック１０を加熱２シート状繊維集合体５によって室内側に逃げるのを抑えられている。
図示しない温度インジケータ７の色の変化を外部から見ることによって潜熱蓄熱材組成物１が使用に値する目的温度に達したかを確認できる。
【００３９】
車内は太陽熱が潜熱蓄熱材組成物１に吸収されるので、高温になるのを抑制できる。車内を暖めたい時などには、太陽熱を吸収して融解した潜熱蓄熱材組成物１に刺激を与えるなどして結晶化を進め凝固させると潜熱が発生し、その熱により車内を暖めることができる。また、運転席などの暖房シートとして使用することができる。
潜熱蓄熱物質を主成分とし、長繊維状パリゴルスカイトを必須成分として配合し、必要に応じて融点調整剤および／または過冷却防止剤を配合した相分離しない潜熱蓄熱材組成物１を用いると、融解〜凝固サイクルを長時間繰り返しても、相分離したり、過冷却現象が発生せず安定して蓄熱〜放熱を繰り返すことができる。
【００４０】
図４は、本考案のシート状蓄熱パックを用いて浴槽のお湯の熱を吸収する方法の一例を説明する説明図である。
図４中の３２は浴槽、３３は湯、３４は蓋を示す。水面に近い場所で静止でき、水底に沈むことなく浮いた状態で熱吸収を行なうことができる。本考案のシート状蓄熱パック１０Ａの図示しない第２シート状繊維集合体５は表面側になるように配設されている。
浮いた状態の本考案のシート状蓄熱パック１０Ａの表面側の図示しない部分をとおして外部から見えるように配設された図示しない温度インジケータ７の色の変化を外部から見ることによって潜熱蓄熱材組成物１が使用に値する目的温度に達したかを確認できる。
【００４１】
図５は本考案のシート状蓄熱パックの他の例を説明する断面説明図である。
図５に示した本考案のシート状蓄熱パックの１０Ｃにおいて、図１−４に記載した符号と同じ符号のものは、図１−４の同一符号のものと同じものを示す。
図２に示した複数の横方向融着部２３の一部が融着されておらず、横方向凹部２４となっており、この横方向凹部２４を介して溶融した潜熱蓄熱材組成物１が相互に移動できるようになっていること、および図２においては短冊状であった各区画が紡錘状に形成されていること以外は図２のシート状蓄熱パックの１０Ｂと同様に構成されており、効果もほぼ同じであるが、本考案のシート状蓄熱パックの１０Ｃは横方向凹部２４があるので、可撓性がより付与されて柔軟になる上、溶融した潜熱蓄熱材組成物１が横方向凹部２４を介して相互に移動できるようになっている。
【００４２】
図６は本考案のシート状蓄熱パックの他の例を説明する説明図である。図６に示した本考案のシート状蓄熱パックの１０Ｄにおいて、図１−５に記載した符号と同じ符号のものは、図１−５の同一符号のものと同じものを示す。
図２に示した本考案のシート状蓄熱パックの１０Ｂは、各区画が短冊状であったが、長手方向融着部２２を増加して形成し、各区画が多数の格子状となるようにした以外は図２のシート状蓄熱パックの１０Ｂと同様に構成されている。各区画が多数の格子状となるように構成したので、本考案のシート状蓄熱パックの１０Ｄは、その格子状の区画毎に潜熱蓄熱材組成物１が収容された状態となるので、潜熱蓄熱材組成物１が偏って分布するのをさらに抑制できるとともに、液漏れをさらに抑制することができる。
【００４３】
パリゴルスカイトは、セピオライトと同様に、四面体シートの頂点方向の周期的な逆転によるリボン構造を持つ繊維状形態の粘土鉱物であり、セピオライトにおいては八面体陽イオンがほとんどマグネシウムにより占められているのに対して、パリゴルスカイトでは相当量のアルミニウムを含み、八面体位置に空所を含むのが特徴であり、そのため吸着性、レオロジー特性、触媒活性などに優れている［中華人民共和国貴州省における長繊維状パリゴルスカイトの産状とその鉱物学的性質について、後内  貴胤等、粘土科学（日本粘土学会誌）、第４５巻、第３号、第２００〜２１０頁、２００６、参照］。
【００４４】
パリゴルスカイトは、産地によっては別名アタパルジャイト、凸凹棒ともいうが、浅海底や湖底などに堆積作用により生成した、一般的に結晶度が低く、繊維が発達していない、肉眼で繊維を確認できない短繊維状パリゴルスカイトと、蛇紋岩、石灰岩、ドロマイトおよび火山岩類を母岩とし、その割れ目に浸透したＭｇ、ＳｉＯ2 に富みＡｌを含む天水から直接長時間かけて沈殿し繊維が発達し長繊維化した、一般に結晶度が高く、肉眼で容易に繊維状であることを確認できる長繊維状パリゴルスカイトに大別される。
【００４５】
一般的に日本では比較的珍しい鉱物であり、その産出例は石灰岩の割れ目を充填して産出する例があり、わずかに生産が行われていることが報告されている程度であるが、諸外国では堆積性の短繊維状パリゴルスカイトが主体をなしており特に米国、オーストラリア、中国などに大規模な鉱床が存在し、商業的な生産が行われている。その繊維は数μｍ程度であり肉眼的にはほとんど繊維を確認できない。
【００４６】
類似鉱物である長繊維状セピオライトが微量ながら石綿を付着・含有する場合があるのに対して、本考案で用いる長繊維状パリゴルスカイトは石綿を全く含有しないという特徴がある。
【００４７】
本考案で用いる長繊維状パリゴルスカイトに対して、短繊維状パリゴルスカイト、長繊維状セピオライト、短繊維状セピオライト、ガラス繊維、炭素繊維、岩綿（ロックウール）、無機ウィスカー、珪灰石（合成珪酸カルシウムを含む）、ハロイサイトなどを長繊維状パリゴルスカイトの作用を損なわない範囲で、あるいは経済効果を目的として１種あるいは２種以上を混合して使用することもできる。
【００４８】
本考案で使用する潜熱蓄熱物質としては、具体的には、例えば、酢酸ナトリウム３水塩、チオ硫酸ナトリウム５水塩、硫酸ナトリウム１０水塩、塩化カルシウム６水塩、硝酸マグネシウム６水塩、塩化マグネシウム６水塩から選ばれる潜熱蓄熱物質を挙げることができる。これらは１種あるいは２種以上を混合して使用することもできる。
例えば、酢酸ナトリウム３水塩などは、融解潜熱が大きいことおとび融点が約６０℃前後であることなどから、深夜電力利用や廃熱利用による暖房用などに有用である上、入手が容易で安価であり、本考案において好ましく使用できる。
【００４９】
本考案で必要に応じて使用する融点調整剤は、具体的には、例えば、水、硝酸アンモニウム、塩化アンモウニウム、臭化アンモニウム、硫酸アンモニウム、尿素、多価アルコール類、チオ硫酸ナトリウム５水塩、硫酸ナトリウム１０水塩から選ばれる融点調整剤を挙げることができる。
これらは比較的少量の添加で融点調整できる上、入手が容易で安価であり、本考案において好ましく使用できる。
これらの融点調整剤の中でも、硝酸アンモニウム、塩化アンモウニウム、尿素は、融点調整効果が大きく、入手も容易で安価であり本考案において好ましく使用できる。
【００５０】
本考案で必要に応じて使用する過冷却防止剤としては、具体的には、例えば、ピロリン酸ナトリウム１０水塩、四ホウ酸ナトリウム１０水塩、炭酸ナトリウム１水塩、臭素酸バリウム１水塩、硫酸カルシウム２水塩、ピロリン酸二水素二ナトリウム６水塩、塩化カルシウム、臭化カルシウム、リン酸水素第二ナトリウム１２水塩、フッ化リチウム、塩化ナトリウム、塩化カリウム、塩化リチウム、塩化バリウム、塩化ストロンチウム、リン酸三ナトリウム１２水塩、酒石酸カルシウム、臭化ナトリウム、硫酸カリウムアルミニウム１２水塩、から選ばれる過冷却防止剤を挙げることができる。
これらは比較的少量の添加で過冷却を防止できる上、入手が容易であり、本考案において好ましく使用できる。
これらの過冷却防止剤は使用する潜熱蓄熱物質に対応して選定して使用することが好ましく、例えば潜熱蓄熱物質が酢酸ナトリウム３水塩の場合は、ピロリン酸ナトリウム１０水塩、チオ硫酸ナトリウム５水塩や硫酸ナトリウム１０水塩の場合は、四ホウ酸ナトリウム１０水塩などである。
【００５１】
本考案の潜熱蓄熱材組成物は、潜熱蓄熱物質を主成分とし、長繊維状パリゴルスカイトを必須成分として配合し、必要に応じて融点調整剤および／または過冷却防止剤を配合したものであるが、主成分の潜熱蓄熱物質および必須成分の長繊維状パリゴルスカイト、必要に応じて配合する融点調整剤、過冷却防止剤の配合量は特に限定されるものではない。
【００５２】
本考案で用いる潜熱蓄熱材組成物を製造するには、潜熱蓄熱物質を主成分とし、長繊維状パリゴルスカイトを必須成分として配合し、必要に応じて融点調整剤および／または過冷却防止剤を配合し、相分離したり、過冷却現象が発生するのを確実に抑制できるように制御して製造するかあるいは、潜熱蓄熱物質を主成分とし、長繊維状パリゴルスカイトを必須成分として配合し、必要に応じて融点調整剤および／または過冷却防止剤を配合した組成物を加熱溶融混合した後、湿式解綿粉砕加工法により加熱解綿粉砕して、相分離したり過冷却現象が発生するのを確実に抑制できるように制御して製造することが好ましい。
【００５３】
前記解綿粉砕加工は、湿式解綿粉砕加工方式が長繊維状パリゴルスカイトの長繊維状形態および結晶構造を破壊せず維持しつつ加熱解綿粉砕して均一混合し、相分離したり過冷却現象が発生するのを確実に抑制できるので好ましい。
【００５４】
長繊維状パリゴルスカイト原石を使用することができ、長繊維状パリゴルスカイト原石を使用すると、飛散せず取り扱い性に優れ、良く混合でき、経済性、製品特性、加工性の観点から好ましい。
【００５５】
なお、上記実施形態の説明は、本考案を説明するためのものであって、実用新案登録請求の範囲に記載の考案を限定し、或は範囲を減縮するものではない。又、本考案の各部構成は上記実施形態に限らず、実用新案登録請求の範囲に記載の技術的範囲内で種々の変形が可能である。
【産業上の利用可能性】
【００５６】
本考案のシート状蓄熱パックは、潜熱蓄熱物質を主成分とし、必要に応じて融点調整剤および／または過冷却防止剤を配合した潜熱蓄熱材組成物１を第１シート状繊維集合体２に含浸保持させた蓄熱シート３と、前記蓄熱シート３を密封包装した樹脂製フィルムあるいはシートからなる第１包装袋４と、前記第１包装袋４の一方の表面の少なくとも１部を覆うように載置したシート状繊維集合体５とともに前記第１包装袋４を第２包装袋６で密封包装し、前記シート状繊維集合体５を両包装袋の間に介在させた樹脂製フィルムあるいはシートからなる前記第２包装袋６とから少なくとも構成されることを特徴とするものであり、
自然エネルギーや廃棄エネルギーを、時間的にあるいは空間的に目的とするタイミングで利用することが可能であり、しかも電気が使用できない場所での必要な熱容量での暖房および冷房などを行うことができる上、形状もシート状のみでなく、加熱対象あるいは冷却対象に合わせた形状にすることができ、使用時に手間がかからず使い勝手が良いという顕著な効果を奏するので、産業上の利用価値が高い。
【符号の説明】
【００５７】
１  潜熱蓄熱材組成物
２  第１シート状繊維集合体
３  蓄熱シート
４  第１包装体
５  第２シート状繊維集合体
６  第２包装体
７  温度インジケータ
１０、１０Ａ、１０Ｂ  シート状蓄熱パック
２０  貫通穴
２１  吸盤
２２  長手方向融着部
２３  横方向融着部
２４  横方向凹部
３０  自動車部材（インパネ）
３１  フロントガラス
【図１】
0003172320.tif 000003
【図２】
0003172320.tif 000004
【図３】
0003172320.tif 000005
【図４】
0003172320.tif 000006
【図５】
0003172320.tif 000007
【図６】
0003172320.tif 000008